(57)【要約】【課題】複数の水処理プロセスのコスト比較を効率良く行うことができる水処理プロセスの設計装置、方法及びプログラムを提供する。【解決手段】本発明による水処理プロセスの設計装置は、複数の水処理ユニット及び水処理ユニット間を接続するストリームを含む水処理フローを、表示装置３に表示された設計画面に描画する描画部２１０と、描画部２１０により描画された水処理フローを複数ページに表示する表示処理部２２０と、各ページに表示された水処理フローにおける物質収支及び熱収支を計算する収支計算部２４０と、を備える。【選択図】図２
2018075539.tif 000002
【特許請求の範囲】
【請求項１】
複数の水処理ユニット、及び水処理ユニット間を接続するストリームを含む水処理フローを表示装置に表示された設計画面に描画する描画部と、
前記描画部により描画された水処理フローを複数ページに表示する表示処理部と、
各ページに表示された水処理フローにおける物質収支及び熱収支を計算する収支計算部と、
を備える水処理プロセスの設計装置。
【請求項２】
請求項１において、前記描画部は、第１水処理フローが描画された第１ページを複製した第２ページ上で、該第１水処理フローの構成の一部を変更して第２水処理フローを作成する機能を有することを特徴とする水処理プロセスの設計装置。
【請求項３】
請求項１又は２において、各ページに表示された水処理フローのイニシャルコスト及び／又はランニングコストを計算するコスト計算部をさらに備えることを特徴とする水処理プロセスの設計装置。
【請求項４】
請求項３において、前記表示処理部は、前記コスト計算部による計算結果を別ページに表示することを特徴とする水処理プロセスの設計装置。
【請求項５】
請求項１〜４のいずれか１項において、複数のページに表示される水処理フローで共通する設計パラメータの値を一括して設定するパラメータ設定部をさらに備えることを特徴とする水処理プロセスの設計装置。
【請求項６】
表示装置に表示された設計画面の第１ページに、複数の水処理ユニットの配置及び水処理ユニット間を接続するストリームの形成により第１水処理フローを描画する工程と、
第２ページに第２水処理フローを新規作成するか、又は前記第１ページを複製した第２ページで、前記第１水処理フローの構成の一部を変更して第２水処理フローを作成する工程と、
前記第１ページに表示された第１水処理フロー及び前記第２ページに表示された第２水処理フローにおける物質収支及び熱収支を計算する工程と、
を備える水処理プロセスの設計方法。
【請求項７】
請求項６において、前記第１水処理フロー及び前記第２水処理フローのイニシャルコスト及び／又はランニングコストを計算する工程と、
コスト計算結果を別ページに表示する工程と、
をさらに備えることを特徴とする水処理プロセスの設計方法。
【請求項８】
請求項６又は７において、前記第１水処理フローと前記第２水処理フローとで共通する設計パラメータの値を一括して設定することを特徴とする水処理プロセスの設計方法。
【請求項９】
複数の水処理ユニットの配置及び水処理ユニット間を接続するストリームの形成により第１水処理フローを設計画面の第１ページに描画する工程と、
第２ページに第２水処理フローを新規作成するか、又は前記第１ページを複製した第２ページで、前記第１水処理フローの構成の一部を変更して第２水処理フローを作成する工程と、
前記第１ページに表示された第１水処理フロー及び前記第２ページに表示された第２水処理フローにおける物質収支及び熱収支を計算する工程と、
をコンピュータに実行させることを特徴とする水処理プロセスの設計プログラム。
【発明の詳細な説明】
【技術分野】
【０００１】
本発明は、複数の水処理ユニットで構成される水処理プロセスの設計装置、方法及びプログラムに関する。
【背景技術】
【０００２】
複数の水処理ユニットで構成される水処理プロセスをコンピュータ上で設計する水処理プロセスシミュレータが知られている（例えば非特許文献１参照）。水処理プロセスシミュレータを用いることで、水処理プロセスの物質収支および熱収支を計算し、水処理ユニットの設計計算を自動で行うことができる。
【０００３】
従来の水処理プロセスシミュレータでは、１つのファイルに１つの水処理フローを描画し、その水処理フローの設計計算およびコスト計算を行っていた。複数の水処理プロセスの候補がある場合、複数のファイルを順番に開き、同じ入力値をファイルごとに設定する必要があり、コスト比較のための作業が煩雑であった。
【０００４】
また、コスト計算結果を比較するため１つずつファイルを開き、コスト計算結果を表計算ソフトのセルにコピー＆ペーストしてグラフを作成するという作業を手動で行っており、手間がかかっていた。
【０００５】
特許文献１に記載の水処理システムの構築支援装置では、水処理システムを構築するために、下流から上流側にさかのぼっていく設計方法がとられるが、これは、循環を多く含むような水処理プロセス、例えば、排水回収プロセス（下流側から上流側に処理水を移送させて工業用水使用量や排水量を減少させるプロセス）への適用は難しく、循環の無い逐次処理的な処理フローへの適用に限定される。
【０００６】
特許文献２には、水処理プロセスの収支計算・設計計算を行うにあたり、水収支計算、熱収支計算、各成分の物質収支計算、設計計算の順番に計算を進める方法が開示されている。これは、複数ではなく個々の水処理プロセスのコスト計算に効率的な手法であった。
【先行技術文献】
【特許文献】
【０００７】
【特許文献１】特開２０１３−２２０３８９号公報
【特許文献２】特開２０１４−１８８４５７号公報
【非特許文献】
【０００８】
【非特許文献１】報文「水処理プロセスシミュレータ」、堀井・佐々木、２０１２年７月、ＥＩＣＡ
【発明の概要】
【発明が解決しようとする課題】
【０００９】
本発明は、複数の水処理プロセスのコスト比較を効率良く行うことができる水処理プロセスの設計装置、方法及びプログラムを提供することを目的とする。
【課題を解決するための手段】
【００１０】
本発明の水処理プロセスの設計装置は、複数の水処理ユニット、及び水処理ユニット間を接続するストリームを含む水処理フローを表示装置に表示された設計画面に描画する描画部と、前記描画部により描画された水処理フローを複数ページに表示する表示処理部と、各ページに表示された水処理フローにおける物質収支及び熱収支を計算する収支計算部と、を備えるものである。
【００１１】
本発明の一態様では、前記描画部は、第１水処理フローが描画された第１ページを複製した第２ページ上で、該第１水処理フローの構成の一部を変更して第２水処理フローを作成する機能を有する。
【００１２】
本発明の一態様では、各ページに表示された水処理フローのイニシャルコスト及び／又はランニングコストを計算するコスト計算部をさらに備える。
【００１３】
本発明の一態様では、前記表示処理部は、前記コスト計算部による計算結果を別ページに表示する。
【００１４】
本発明の一態様では、複数のページに表示される水処理フローで共通する設計パラメータの値を一括して設定するパラメータ設定部をさらに備える。
【００１５】
本発明の水処理プロセスの設計方法は、表示装置に表示された設計画面の第１ページに、複数の水処理ユニットの配置及び水処理ユニット間を接続するストリームの形成により第１水処理フローを描画する工程と、前記第１ページを複製した第２ページで、前記第１水処理フローの構成の一部を変更して第２水処理フローを作成する工程と、前記第１ページに表示された第１水処理フロー及び前記第２ページに表示された第２水処理フローにおける物質収支及び熱収支を計算する工程と、を備えるものである。なお、第２ページの水処理フローは、第１ページを複製した水処理フローを編集するのではなく、新たに作成してもよい。
【００１６】
本発明の一態様では、前記第１水処理フロー及び前記第２水処理フローのイニシャルコスト及び／又はランニングコストを計算する工程と、コスト計算結果を別ページに表示する工程と、をさらに備える。
【００１７】
本発明の一態様では、前記第１水処理フローと前記第２水処理フローとで共通する設計パラメータの値を一括して設定する。
【００１８】
本発明の水処理プロセスの設計プログラムは、複数の水処理ユニットの配置及び水処理ユニット間を接続するストリームの形成により第１水処理フローを設計画面の第１ページに描画する工程と、前記第１ページを複製した第２ページで、前記第１水処理フローの構成の一部を変更して第２水処理フローを作成する工程、又は第１ページと同様に第２水処理フローを新規に作成する工程と、前記第１ページに表示された第１水処理フロー及び前記第２ページに表示された第２水処理フローにおける物質収支及び熱収支を計算する工程と、をコンピュータに実行させるものである。
【発明の効果】
【００１９】
本発明によれば、複数の水処理プロセスのコスト比較を効率良く行うことができる。
【図面の簡単な説明】
【００２０】
【図１】本発明の実施形態に係る水処理プロセスの設計装置の概略構成図である。
【図２】設計プログラムを実行することで実現される機能ブロック図である。
【図３】水処理フローの作成例を示す図である。
【図４】水処理フローの設計画面の例を示す図である。
【図５】コスト比較結果の表示例を示す図である。
【発明を実施するための形態】
【００２１】
以下、図１〜図５を参照して実施の形態について説明する
【００２２】
図１は、本実施形態に係る水処理プロセスの設計装置の概略構成を示す。設計装置は、演算制御装置１と、入力装置２と、表示装置３とを備えている。ユーザは、入力装置２を介して演算制御装置１に対して指示を入力することができる。入力装置２には、キーボードやマウス等を用いることができる。表示装置３は、演算制御装置１から出力されたデータを表示する。表示装置３には、液晶ディスプレイ等を用いることができる。
【００２３】
演算制御装置１は、ＣＰＵ（中央演算処理部）１１、メインメモリ１２、ディスク装置１３、及び入出力部１４を有する。演算制御装置１の各部はバス１５を介して接続されている。演算制御装置１は、入出力部１４を介して、入力装置２から入力を受け付けたり、表示装置３へデータを出力したりする。
【００２４】
ディスク装置１３は、ＣＰＵ１１により実行される設計プログラム２１を格納する。また、ディスク装置１３は、水処理プロセスで使用される水処理ユニットやストリーム（配管）のモジュール情報２２を格納する。ここで、水処理ユニットは、例えば、原水タンク、逆浸透膜濾過装置、限外濾過膜装置、薬品添加槽、活性炭塔、砂濾過塔、熱交換器、蒸発濃縮器、沈殿槽、汚泥濃縮槽、加圧浮上器、真空脱気塔、脱炭酸塔、脱気膜、標準活性汚泥槽、硝化脱窒槽、イオン交換樹脂塔、軟化器、電気式脱イオン装置、紫外線酸化装置等である。
【００２５】
モジュール情報２２は、各ユニットの物質収支や熱収支等を計算するための計算ロジックが組み込まれている。
【００２６】
モジュール情報２２には、各種パラメータのデフォルト値が登録されていてもよい。例えば、水処理ユニットが逆浸透膜濾過装置（以下、ＲＯユニットと記載する。）の場合、水回収率等のデフォルト値が登録されていてもよい。モジュール情報２２は、表示装置３にアイコン表示される各ユニットのアイコン情報を含む。
【００２７】
ディスク装置１３は例えばハードディスクドライブである。なお、設計プログラム２１は、ディスク装置１３でなく、ＲＯＭ（図示せず）に格納されていてもよい。
【００２８】
ＣＰＵ１１は、ディスク装置１３内の設計プログラム２１をメインメモリ１２にロードして、設計プログラム２１を実行する。このとき、ディスク装置１３内のモジュール情報２２をメインメモリ１２にロードするようにしてもよい。
【００２９】
設計プログラム２１の実行に伴い、メインメモリ１２上には、水処理プロセスの処理フロー、及び各種計算結果を格納する領域が確保される。水処理フローはユーザにより作成されるものであり、作成方法については後述する。
【００３０】
図２に、ＣＰＵ１１が設計プログラム２１を実行することで実現される機能ブロック図を示す。設計プログラム２１の実行により、描画部２１０、表示処理部２２０、パラメータ設定部２３０、収支計算部２４０、及びコスト計算部２５０が実現される。描画部２１０は、ユニット配置部２１１、ストリーム配置部２１２、ストリーム・ユニット接続部２１３、及び複製部２１４を有している。なお、複製部２１４は、既存ページを複製する機能を有していることを意味しており、描画部２１０は、新たに「新規ページ」を作成し、そこに水処理フローを最初から構築しても構わない。
【００３１】
描画部２１０は、各種ユニットやストリームに対応するアイコンを表示装置３に表示する（図４のウィンドウＷ２参照）。アイコンは単なる図形ではなく、アイコンの種類ごとに予め決められた形式で、パラメータ名とその値が格納されるデータ領域を保有している。
【００３２】
ユニット配置部２１１は、入力装置２を介してユーザにより選択されたユニットを設計画面（図４のウィンドウＷ１）に描画される処理フロー内に配置する。配置されたユニットは、それぞれ識別番号が付与されており、各種パラメータが設定可能である。
【００３３】
ストリーム配置部２１２は、入力装置２を介してユーザにより選択されたストリームを、設計画面（図４のウィンドウＷ１）に描画される処理フロー内に配置する。ストリーム・ユニット接続部２１３は、配置されたストリームとユニットとを接続する。ユニットには接続ポイントが用意されており、ストリームの始点又は終点の位置を接続ポイントと一致させることで、ユニットとストリームとを接続できる。描画部２１０により描かれた各ストリームは、それぞれ識別番号が付与され、流量、温度、各成分濃度等の計算値が表示可能である。
【００３４】
例えば、図３に示すように、描画部２１０は、ユーザからの指示に基づき、水質設定ユニットＵ１、ＲＯユニットＵ２〜Ｕ４を配置し、ＲＯユニットＵ２〜Ｕ４にストリームＳ１〜Ｓ７を接続する。ＲＯユニットＵ２〜Ｕ４には、それぞれ３本のストリームが接続される。
【００３５】
水質設定ユニットＵ１とＲＯユニットＵ２とを接続するストリームＳ１が原水に対応する。ＲＯユニットＵ２の逆浸透膜を透過した処理水ストリームＳ２がＲＯユニットＵ４に接続される。ＲＯユニットＵ２の濃縮水ストリームＳ３がＲＯユニットＵ３に接続される。
【００３６】
ＲＯユニットＵ３には、処理水ストリームＳ４及び濃縮水ストリームＳ５が接続される。同様に、ＲＯユニットＵ４には、処理水ストリームＳ６及び濃縮水ストリームＳ７が接続される。
【００３７】
処理水ストリームＳ２、Ｓ４、Ｓ６と、濃縮水ストリームＳ３、Ｓ５、Ｓ７とは、表示装置３に表示する際に色を変えてもよいし、線の太さや、実線／破線を変えてもよい。
【００３８】
本実施形態による設計装置では、１ファイル内に水処理フローが描画されるページを複数作成することができる。表示処理部２２０は、図４に示すように、ウィンドウ（表示領域）Ｗ１にて、タブ切替により複数のページを切り替え可能に表示する。各ページの水処理フローは、ユーザが描画したものでもよいし、描画済みのページをユーザからの指示に基づいて複製部２１４が複製したものでもよい。
【００３９】
例えば、第１ページで水処理フローを作成後、第１ページを複製して第２ページとする。第２ページでは、ストリームをつなぎかえたり、ユニットを入れ替えたりするなどの簡易な変更操作で、新たな水処理フローを作成できる。例えば、ＲＯ処理水の行先となるタンクを変えたり、膜脱気装置を真空脱気装置に入れ替えたりする。
【００４０】
なお、図４のウィンドウＷ２には、ユニットやストリームのアイコンが表示されている。ユニットのアイコンを選択し、ウィンドウＷ１内へドラッグ＆ドロップすることで、水処理フローにユニットを配置できる。ストリームも同様にアイコンを選択してウィンドウＷ１内へドラッグ＆ドロップすることで、水処理フローにストリームを配置できる。ユニットには接続ポイントが用意されているので、ストリームの矢印の始点又は終点の位置を接続ポイントに一致させることで、ユニットとストリームとが接続される。
【００４１】
パラメータ設定部２３０は、水処理フローのユニットやストリームにパラメータを設定する。パラメータ設定部２３０は、複数ページの水処理フローで共通する設定項目を紐付け（リンクさせ）、ウィンドウＷ３でこの項目のパラメータの値を設定（変更）した場合、他のページの水処理フローにも反映させる。ウィンドウＷ３は独立して存在する表示領域であり、ページを切り替えても表示は変わらない。
【００４２】
複数ページの水処理フローで共通する設定項目は、例えば原水の流量、温度、水質である。新しいページの水処理フローは最初から作成してもよいが、既存のページを複製し、一部編集（例えばユニットの入れ替えや、ストリームのつなぎ替え）することが簡便である。また、新しいページの各種パラメータの値を既存ページのものから変更したり、リンクの設定を追加又は解除したりしてもよい。
【００４３】
図４に示すように、水処理フローのページが表示されるウィンドウＷ１とは別のウィンドウＷ３に、各ページの水処理フローに共通する設定項目の一覧が表示される。このウィンドウ内のデータは、適宜数値を変更することができる。データのリンクを設定したい項目を選択して、ウィンドウＷ１に表示されている水処理フロー内のユニット又はストリームにドラッグ＆ドロップすることで、データのリンクを設定できる。ページを複製した場合でもデータのリンクに関する設定情報は継承されるため、複数ページの水処理フローにわたって、対応するユニット又はストリームのパラメータを一括して設定することができる。
【００４４】
計算の実行の準備として、原水の流量、温度、各成分の濃度を設定する。具体的には図３、図４のＳｔａｒｔユニットで流量、温度、各成分の濃度の値を設定する。このとき、ウィンドウＷ３のデータのうち、該当する項目を選択し、値をリンクさせてもよい。
【００４５】
収支計算部２４０は、ユーザから計算実行指示を受け付けると、各水処理フローについて、処理フロー全体の水収支や熱収支、各成分の物質収支を計算する。複数の水処理フローの収支計算は、順に行ってもよいし、並列に行ってもよい。
【００４６】
例えば、ＲＯユニットについて、設定された水回収率に基づいて、処理水流量、濃縮水量を計算する。また、設定された各成分の脱塩率から、処理水、濃縮水の水質を計算する。
【００４７】
収支計算部２４０は、各ユニットについて、入口流量と出口流量の差が所定値以下となるように流量を調整する。所定値としては例えば０．０１とする。
【００４８】
各ユニットについて、入口熱量合計及び出口熱量合計を計算し、各ストリームの温度を求める。熱量は、熱量＝流量×比熱×温度で求めることができる。そして、例えば、すべてのユニットで、｜入口熱量合計−出口熱量合計｜／（（入口熱量合計＋出口熱量合計）×０．５）＜所定値となった場合、熱収支が収束したと判定する。所定値としては例えば０．０１とする。
【００４９】
各ユニットにおいて、各成分について、入口成分質量流量合計及び出口成分質量流量合計を計算する。成分質量流量は、成分質量流量＝成分濃度×流量で求めることができる。そして、例えば、すべてのユニットにおいて、各成分について、｜入口成分質量流量合計−出口成分質量流量合計｜／（（入口成分質量流量合計＋出口成分質量流量合計）×０．５）＜所定値となった場合、各成分の物質収支が収束したと判定する。所定値としては例えば０．０１とする。
【００５０】
多くの場合、水処理フローには、下流側から上流側に処理水を戻す循環ラインが含まれる。水処理プロセスシミュレータでは、原則として上流側から下流側へとユニット計算を進めることになるが、循環ラインがあることで、途中のユニットで物質収支や熱収支が合わなくなることがある。このとき、収支が合わないユニットから再計算を行うことが好ましい。つまり、物質収支または熱収支が合わないユニットを探索し、そのユニットから再計算を行うという操作を繰り返し行うことによって、全体の物質収支・熱収支を収束させることができる。
【００５１】
コスト計算部２５０は、ユーザからの指示に基づいて、各ページに描画された水処理フローのコストを計算する。計算されるコストは、イニシャルコストや、電力コスト、蒸気コスト、冷水コスト等のランニングコストである。複数の水処理フローのコスト計算は、順に行ってもよいし、並列に行ってもよい。
【００５２】
表示処理部２２０は、コスト計算部２５０により計算された各水処理フローのコストを別ページ（又は別ウィンドウ）に出力し、グラフや表の形式で表示する。例えば、図５に示すように、各水処理フローのランニングコストを棒グラフで表示する。これにより、複数の水処理フローのコストを視覚的に容易に比較できる。
【００５３】
このように、本実施形態によれば、類似の水処理フローを作成する際、水処理フローを作成した既存のページを複製し、複製後のページ上でユニットを入れ替えたり、ストリームをつなぎかえたりするなどの簡単な編集を加えることで、容易に新しい水処理フローを作成することができる。
【００５４】
また、水処理フローが描画された複数のページが１ファイルに含まれ、必要に応じて、各ページの水処理フローの設定値をリンクさせることができるため、共通のパラメータ値を１箇所で変更すれば、全ページの水処理フローの設定値を同時に変更できる。共通の設定項目がファイル上の一箇所（例えば図４のウィンドウＷ３）で管理されるので、従来のように、１つずつファイルを開いてパラメータを変更するといった煩雑な作業が不要となり、パラメータの設定ミスを防止することができる。
【００５５】
また、各ページの水処理フローのコスト計算結果を、同じファイルの中で表示して比較することができるので、どの水処理フローが最も適切かを、迅速かつ定量的に判断することができる。与えられた設計条件に対して、あらかじめ準備しておいた複数の水処理フロー候補の中から、最も安価な水処理プロセスを短時間で提案できる。
【００５６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００５７】
１  演算制御装置
２  入力装置
３  表示装置
１１  ＣＰＵ
１２  メインメモリ
１３  ディスク装置
１４  入出力部
１５  バス
２１  設計プログラム
２２  モジュール情報
２１０  描画部
２１１  ユニット配置部
２１２  ストリーム配置部
２１３  ストリーム・ユニット接続部
２１４  複製部
２２０  表示処理部
２３０  パラメータ設定部
２４０  収支計算部
２５０  コスト計算部
【図１】
2018075539.tif 000003
【図２】
2018075539.tif 000004
【図３】
2018075539.tif 000005
【図４】
2018075539.tif 000006
【図５】
2018075539.tif 000007